(57)【特許請求の範囲】
【請求項１】
光導波路を断面４角筒状ハウジングに保持した光コネクタにおいて、
光導波路は互いに平行な側面の一方の先端近傍にテーパ部が形成され、
断面４角筒状ハウジングは互いに対向する表裏両面に長さ方向全長に亘って光導波路固定溝が形成され、
光導波路固定溝は長さ方向全長に亘って屈曲のない平坦側面と、ハウジング衝合面側先端近傍において屈曲せしめ光導波路のテーパ部と衝合するテーパ係合面が形成される屈曲側面と、底面より成り、平坦側面同志および屈曲側面同志はそれぞれ上下方向に整列して形成され、
ハウジング衝合面に対して断面４角筒状ハウジングの長さ方向に平行に取り付けられた１対のガイドピンを具備し、
光導波路固定溝の底面は１対のガイドピンの中心軸を含む共通面に関して対称に形成されていることを特徴とする光コネクタ。
【請求項２】
光導波路を断面４角筒状ハウジングに保持した光コネクタにおいて、
光導波路は互いに平行な側面の一方の先端近傍にテーパ部が形成され、
断面４角筒状ハウジングは互いに対向する表裏両面に長さ方向全長に亘って光導波路固定溝が形成され、
光導波路固定溝は長さ方向全長に亘って屈曲のない平坦側面と、ハウジング衝合面側先端近傍において屈曲せしめ光導波路のテーパ部と衝合するテーパ係合面が形成される屈曲側面と、底面より成り、平坦側面同志および屈曲側面同志はそれぞれ上下方向に整列して形成され、
ハウジング衝合面にガイドピンが挿通嵌合されるガイドピン嵌合孔を形成し、
光導波路固定溝の底面は１対のガイドピン嵌合孔の中心軸を含む共通面に関して対称に形成されていることを特徴とする光コネクタ。
【請求項３】
請求項１又は２に記載される光コネクタにおいて、
光導波路固定溝に嵌合して光導波路を押圧する押え板を具備することを特徴とする光コネクタ。
【発明の詳細な説明】
【０００１】
【発明の属する技術分野】
この発明は、光コネクタに関し、特に、積層光導波路を有する光コネクタに関する。
【０００２】
【従来の技術】
先行例を図３ないし図５を参照して説明する。図３は光コネクタと光導波路を組み立てた状態を示す図である。図４は光コネクタおよび光導波路の分解斜視図である。図５は光導波路を説明する図である。
４は互いに平行な側面を有する光導波路であり、光導波路延伸方向に沿って延伸する複数本の光ファイバ４０を内包している。光導波路４の先端近傍の一方の側面には光導波路軸方向と１５゜の角度をなすテーパ部４１が形成されている。
【０００３】
５は光コネクタプラグの断面４角筒状ハウジングである。この断面４角筒状ハウジング５の表面には、断面４角筒状ハウジング軸方向に光導波路固定溝５０が形成されている。この光導波路固定溝５０は全長に亘って屈曲のない平坦側面５２と、ハウジング衝合面５９側先端近傍において屈曲せしめ光導波路のテーパ部４１と衝合するテーパ係合面５１１が形成される屈曲側面５１を有している。テーパ係合面５１１の屈曲は、光導波路４のテーパ部４１に対応して屈曲側面５１の本体に関して１５゜の角度である。５３は光導波路固定溝５０の底面を示す。５４は押え板であり、その先端近傍の一方の側面は、光導波路４のテーパ部４１に対応して、長さ方向と１５゜の角度をなすテーパ部５４１が形成されている。６は光コネクタの衝合面であるハウジング衝合面５９に対して断面４角筒状ハウジングの長さ方向に平行に取り付けられた１対のガイドピンである。５５はガイドピン挿通固定孔である。
【０００４】
２は光導波路４に対応する同等の光導波路であり、同様に、光導波路延伸方向に沿って延伸する複数本の光ファイバを内包し、テーパ部が形成されている。
３は光コネクタレセプタクルの断面４角筒状ハウジングである。この断面４角筒状ハウジング３の表面にも、断面４角筒状ハウジング５と同様に、断面４角筒状ハウジング軸方向に光導波路固定溝３０が形成されている。この光導波路固定溝３０は全長に亘って屈曲のない平坦側面３２と、ハウジング衝合面３９先端近傍において屈曲せしめてするテーパ係合面３１１が形成される屈曲側面３１を有している。テーパ係合面３１１の屈曲は、光導波路２のテーパ部に対応して、屈曲側面３１の本体に関して１５゜の角度である。３３は光導波路固定溝３０の底面を示す。３４は押え板である。３５はハウジング衝合面３９に形成されたガイドピン６が挿通嵌合されるガイドピン嵌合孔である。
【０００５】
レセプタクル或はプラグの断面４角筒状ハウジングに光導波路を接合固定するところを特に図４を参照して説明するに、光導波路固定溝５０の側壁および底面に接着剤を塗布しておき、光導波路４をそのテーパ部４１を屈曲側面５１のテーパ係合面５１１に係合させて底面５３に載置する。次いで、押え板５４をそのテーパ部５４１を光導波路固定溝５０のテーパ係合面５１１に係合させた状態で光導波路固定溝５０に圧入し、光導波路４を下向きに圧しつける。光導波路４のテーパ部４１を光導波路固定溝５０のテーパ係合面５１１に係合させることにより断面４角筒状ハウジング５に対する光導波路４の取り付け位置精度を確保している。断面４角筒状ハウジング３に対する光導波路２の取り付け位置精度も以上と同様に確保している。
【０００６】
ここで、レセプタクルとプラグとを結合するには、互いに平行な１対のガイドピン６を断面４角筒状ハウジング３に形成される１対のガイドピン嵌合孔３５にそれぞれ挿通してハウジング同志の位置合わせを行ない、押し込み嵌合して相互結合する。
以上の光コネクタにおいて、プラグ側に形成される光導波路４のテーパ部４１と、光導波路固定溝５０のテーパ係合面５１１と、押え板５４のテーパ部５４１の組は、レセプタクルとプラグとが結合衝合した状態において、レセプタクル側に形成される光導波路２のテーパ部と、光導波路固定溝３０のテーパ係合面３１１と、押え板３４のテーパ部３４１の組と対向する位置関係に構成される。
【０００７】
【発明が解決しようとする課題】
ここで、図５を参照するに、光導波路４の幅は２ｍｍであり、その中心軸を対称軸として０. ２５ｍｍピッチで光ファイバ４０を形成し、テーパ部４１の傾斜角度を中心軸方向に関して１５゜とする場合、形成することができる光ファイバ４０の芯数は４本が限界である。テーパ部４１の傾斜角度は適正であるものとして、形成する光ファイバ４０の芯数を増加するには、光導波路４の幅を拡大しなければならない。光導波路４の幅を拡大すると、これに対応して光コネクタの外形寸法を増大することになる。
【０００８】
この発明は、光導波路を積層することにより光コネクタの外形寸法を増大することなしに光ファイバ接続芯数を増加する上述の問題を解消した光コネクタを提供するものである。
【０００９】
【課題を解決するための手段】
請求項１：光導波路４を断面４角筒状ハウジング３、４に保持した光コネクタにおいて、光導波路２、４は互いに平行な側面の一方の先端近傍にテーパ部４１が形成され、断面４角筒状ハウジング３、４は互いに対向する表裏両面に長さ方向全長に亘って光導波路固定溝５０、５０’が形成され、光導波路固定溝５０、５０’は長さ方向の全長に亘って屈曲のない平坦側面５２、５２’と、ハウジング衝合３９、５９’面側先端近傍において屈曲せしめ光導波路のテーパ部４１と衝合するテーパ係合面５１１、５１１’が形成される屈曲側面５１、５１’と、底面５３、５３’より成り、平坦側面５２、５２’同志および屈曲側面５１、５１’同志はそれぞれ上下方向に整列して形成した。
【００１０】
また、ハウジング衝合面５９に対して断面４角筒状ハウジングの長さ方向に平行に取り付けられた１対のガイドピン６を設けた。
【００１１】
そして、光導波路固定溝５０、５０’の底面５３、５３’は１対のガイドピン６の中心軸を含む共通面に関して対称に形成されている光コネクタを構成した。
また、請求項２：光導波路４を断面４角筒状ハウジング３、４に保持した光コネクタにおいて、光導波路２、４は互いに平行な側面の一方の先端近傍にテーパ部４１が形成され、断面４角筒状ハウジング３、４は互いに対向する表裏両面に長さ方向全長に亘って光導波路固定溝５０、５０’が形成され、光導波路固定溝５０、５０’は長さ方向の全長に亘って屈曲のない平坦側面５２、５２’と、ハウジング衝合３９、５９’面側先端近傍において屈曲せしめ光導波路のテーパ部４１と衝合するテーパ係合面５１１、５１１’が形成される屈曲側面５１、５１’と、底面５３、５３’より成り、平坦側面５２、５２’同志および屈曲側面５１、５１’同志はそれぞれ上下方向に整列して形成した。そしてハウジング衝合面３９にガイドピン６が挿通嵌合されるガイドピン嵌合孔３５を形成した。
【００１２】
更に、光導波路固定溝３０、３０’の底面３３、３３’は１対のガイドピン嵌合孔３５の中心軸を含む共通面に関して対称に形成されている光コネクタを構成した。
そして、請求項３：請求項１又は２に記載される光コネクタにおいて、光導波路固定溝５０に嵌合して光導波路４を押圧する押え板を更に具備する光コネクタを構成した。
【００１３】
【発明の実施の形態】
この発明の実施の形態を図１および図２の実施例を参照して説明する。図１は光コネクタと光導波路を組み立てた状態を示す図である。図２は光コネクタおよび光導波路の分解斜視図である。実施例において、先行例における部材と共通する部材には共通する参照符号を付与している。
光コネクタプラグの断面４角筒状ハウジング５の表面における光導波路４の取り付けに関する構成は先行例と全く同様に構成されている。図１および図２の実施例においては、断面４角筒状ハウジング５の表面における光導波路４の取り付けに関する構成が断面４角筒状ハウジング５の裏面にも形成されている。
【００１４】
即ち、４’は互いに平行な側面を有する光導波路であり、光導波路延伸方向に沿って延伸する複数本の光ファイバを内包している。光導波路４’の先端近傍の一方の側面には光導波路軸方向と１５゜の角度をなすテーパ部４１’が形成されている。ここで、光導波路４’の一方の側面は、光導波路４の一方の側面と左右方向に関して同一の側にある。換言すれば、光導波路４’の一方の側面と、光導波路４の一方の側面は上下方向に関して整列している。そして、断面４角筒状ハウジング５の裏面には、断面４角筒状ハウジング軸方向に光導波路固定溝５０’が形成されている。光導波路固定溝５０’は全長に亘って屈曲のない平坦側面５２’である一方の側壁と、固定溝先端近傍において屈曲せしめてテーパ係合面５１１’が形成される屈曲側面５１’である他方の側壁を有している。テーパ係合面５１１’の屈曲は、光導波路４’のテーパ部４１’に対応して、屈曲側面５１’の本体に関して１５゜の角度である。５３’は光導波路固定溝５０’の底面を示す。５４’は押え板であり、その先端近傍の一方の側面は、光導波路４’のテーパ部４１’に対応して、長さ方向と１５゜の角度をなすテーパ部５４１’が形成されている。ここで、断面４角筒状ハウジング５の表面に形成される光導波路４のテーパ部４１と、光導波路固定溝５０のテーパ係合面５１１と、押え板５４のテーパ部５４１の組と、裏面に形成される光導波路４’のテーパ部４１’と、光導波路固定溝５０’のテーパ係合面５１１’と、押え板５４’のテーパ部５４１’の組とは、左右方向に関して同一の側にあり、上下方向に関して整列して形成されている。
【００１５】
光コネクタレセプタクルについても、断面４角筒状ハウジング３の表面における光導波路２の取り付けおよび裏面における光導波路２’の取り付けに関する構成はプラグと同様に構成されている。但し、この場合、プラグ側である断面４角筒状ハウジング５の表面に形成される光導波路４のテーパ部４１と、光導波路固定溝５０のテーパ係合面５１１と、押え板５４のテーパ部５４１の組は、レセプタクルとプラグとが結合衝合した状態において、レセプタクル側である断面４角筒状ハウジング３の表面に形成される光導波路２のテーパ部と、光導波路固定溝３０のテーパ係合面３１１と、押え板３４のテーパ部３４１の組と対向する位置関係に構成される。そして、プラグ側である断面４角筒状ハウジング５の裏面に形成される光導波路４’のテーパ部４１’と、光導波路固定溝５０’のテーパ係合面５１１’と、押え板５４’のテーパ部５４１’の組も、レセプタクルとプラグとが結合衝合した状態において、レセプタクル側である断面４角筒状ハウジング３の裏面に形成される光導波路２’のテーパ部と、光導波路固定溝３０’のテーパ係合面３１１’と、押え板３４’のテーパ部３４１’の組と対向する位置関係に構成される。
【００１６】
断面４角筒状ハウジングに対する光導波路の接合固定は先行例と同様に実施され、光導波路テーパ部を光導波路固定溝のテーパ係合面に係合させ、断面４角筒状ハウジングの表裏両面において断面４角筒状ハウジングに対する光導波路の取り付け位置精度を確保している。
【００１７】
【発明の効果】
以上の通りであって、この発明に依れば、断面４角筒状ハウジングに対する光導波路の取り付け位置精度を損なうことなく、光コネクタの外形寸法を増大することなしに光ファイバの光導波路数を増加する光コネクタを提供することができる。
そして、断面４角筒状ハウジングの互いに対向する表裏両面に長さ方向全長に亘って光導波路固定溝を形成した光コネクタにおいて、その平坦側面同志および屈曲側面同志はそれぞれ上下方向に整列して形成すると共に、光導波路固定溝の底面は１対のガイドピンおよび１対のガイドピン嵌合孔の中心軸を含む共通面に関して対称に形成されているので、光導波路の位置精度を損なうことなしに、光コネクタの外形寸法を変更せずに光ファイバの光導波路数を増加することができる。先の光導波路であれば、光コネクタの外形寸法を変更せずに光ファイバの光導波路数を４芯から８芯まで増加することができる。
【図面の簡単な説明】
【図１】実施例を説明する斜視図。
【図２】実施例の分解斜視図
【図３】先行例を説明する斜視図。
【図４】先行例の分解斜視図。
【図５】光導波路を示す図。
【符号の説明】
２  光導波路
３  断面４角筒状ハウジング
３０  光導波路固定溝
３１  屈曲側面
３１１  テーパ係合面
３２  平坦側面
３３  底面
３４  押え板
３５  ガイドピン嵌合孔
４  光導波路
４０  光ファイバ
４１１  テーパ部
５  断面４角筒状ハウジング
５０  光導波路固定溝
５１  屈曲側面
５１１  テーパ係合面
５２  平坦側面
５３  底面
５４  押え板
５５  ガイドピン挿通固定孔
６  ガイドピン
【図１】
0004085172.tif 000002
【図２】
0004085172.tif 000003
【図３】
0004085172.tif 000004
【図４】
0004085172.tif 000005
【図５】
0004085172.tif 000006